(57)【要約】【課題】不正なランプに交換されたことを使用者に告知する機能を有する投写型表示装置の提供を目的とする。【解決手段】本発明の投写型表示装置１は、光源２１と、光源２１が発する光源光の輝度を測定する輝度センサ６と、光源と共に交換可能に構成され、輝度センサの輝度測定値を更新保存する記憶手段２２と、輝度センサ６の輝度測定値と、記憶手段２２に保持された輝度測定値との比較に基づき警告を表示する制御手段９と、を備える。【選択図】図１
2010271375.tif 000002
【特許請求の範囲】
【請求項１】
光源と、
前記光源が発する光源光の輝度を測定する輝度測定手段と、
前記光源と共に交換可能に構成され、前記輝度測定手段の輝度測定値を更新保存する光源特性記憶手段と、
前記輝度測定手段の輝度測定値と、前記光源特性記憶手段に保持された輝度測定値との比較に基づき警告を表示する制御手段と、を備える投写型表示装置。
【請求項２】
前記制御手段は、前記輝度測定手段の輝度測定値が、前記光源特性記憶手段に保持された輝度測定値よりも所定の閾値以上大きい場合に警告を表示することを特徴とする、請求項１に記載の投写型表示装置。
【請求項３】
表示装置の外部又は内部で設定される目標輝度・色度を生じさせるための補正係数を演算する補正係数演算手段と、
映像信号を受け、前記映像信号に前記補正係数演算手段から受けた補正係数に基づく補正を行う輝度・色度補正手段と、
前記輝度・色度補正手段で補正された映像信号に基づき前記光源光を強度変調するライトバルブと、をさらに備えることを特徴とする、請求項１又は２に記載の投写型表示装置。
【請求項４】
前記光源特性記憶手段は前記光源の通電時間を保存し、
前記制御手段は、前記輝度測定手段の輝度測定値が、前記光源特性記憶手段に保存された輝度測定値よりも所定の閾値以上大きく、且つ前記通電時間が所定の時間以上の場合に警告を表示する、請求項２又は３に記載の投写型表示装置。
【請求項５】
前記光源特性記憶手段は工場出荷時に前記輝度測定値を０として保存し、
前記制御手段は、前記輝度測定手段の輝度測定値が、前記光源特性記憶手段に保存された輝度測定値よりも所定の閾値以上大きく、且つ前記光源特性記憶手段２２に保存された前記輝度測定値が０でない場合に警告を表示する、請求項２〜４のいずれかに記載の投写型表示装置。
【請求項６】
前記制御手段は、前記警告に代えて前記光源の消灯を行う、請求項１〜５のいずれかに記載の投写型表示装置。
【発明の詳細な説明】
【技術分野】
【０００１】
この発明は、光源が交換可能で、例えばマルチ画面表示装置への適用に際し、光源交換後に輝度、色度をマルチ画面間で自動調整する投写型表示装置に関する。
【背景技術】
【０００２】
投写型表示装置は、光源からの光を分光部材で三原色に分離し、該分光部材からの光を映像信号等によりライトバルブを用いて強度変調し、投射レンズを経てスクリーン上に映像信号を投射する。
【０００３】
このような投写型表示装置を複数組み合わせて大画面を構成するマルチ画面表示装置では、表示画像の輝度と色度が各投写型表示装置間で等しくなるように制御する必要がある。
【０００４】
その方法として、特許文献１の投写型表示装置では、マルチ画面を構成する各投写型表示装置間で光源等の特性データを通信して目標とする輝度及び色度を決定し、映像信号の輝度、色度を補正することにより、スクリーン上に表示される画像の輝度及び色度をマルチ画面間で等しくなるよう制御する技術が開示されている。
【０００５】
又、特許文献２の投写型表示装置では、デジタルマイクロミラーデバイスのオフステート時の反射光を検出する輝度センサによって輝度を測定し、マルチ画面を構成する各投写型表示装置間で輝度を一定に保つよう制御する技術が開示されている。
【先行技術文献】
【特許文献】
【０００６】
【特許文献１】特開２００７−１４７８５２号公報
【特許文献２】特許第４２０４３８１号公報
【発明の概要】
【発明が解決しようとする課題】
【０００７】
投写型表示装置では、ランプが消耗した場合、正規であればランプとランプの光源特性を記憶した記憶装置で構成するランプユニット単位で交換するが、正規外にランプのみを交換してしまう場合も考えられる。そのような場合、ランプユニット内のランプと記憶装置に記憶されているランプの光源特性が一致しない場合は、マルチ画面の輝度、色度補正が正しく行えないという問題がある。
【０００８】
そこで、本発明は上述の問題を解決するためになされたもので、このような不正なランプに交換された場合に、スクリーン上に警告表示を出すことによって使用者の注意を促すことが出来る投写型表示装置の提供を目的とする。
【課題を解決するための手段】
【０００９】
本発明の投写型表示装置は、光源と、光源が発する光源光の輝度を測定する輝度測定手段と、光源と共に交換可能に構成され、輝度測定手段の輝度測定値を更新保存する光源特性記憶手段と、輝度測定手段の輝度測定値と、光源特性記憶手段に保持された輝度測定値との比較に基づき警告を表示する制御手段と、を備える。
【発明の効果】
【００１０】
本発明の投写型表示装置は、輝度測定手段の輝度測定値と、光源特性記憶手段に保持された輝度測定値との比較に基づき警告を表示する制御手段と、を備える。これにより、光源特性記憶手段に記憶された光源特性と異なる不正な光源に交換されたことを使用者に知らせることが出来る。
【図面の簡単な説明】
【００１１】
【図１】実施の形態１の投写型表示装置の構成図である。
【図２】実施の形態１の投写型表示装置が構成するマルチ画面表示装置の概略図である。
【図３】実施の形態１の投写型表示装置の動作を示すフローチャートである。
【図４】実施の形態２の投写型表示装置の動作を示すフローチャートである。
【図５】実施の形態３の投写型表示装置の動作を示すフローチャートである。
【発明を実施するための形態】
【００１２】
（実施の形態１）
＜構成＞
図１は、実施の形態１の投射型表示装置１の構成図である。この投射型表示装置１は、１チップＤＬＰ（digital light processing）表示装置であり、光を発するランプユニット２、ランプユニット２からの光を赤（Ｒ）、緑（Ｇ）、青（Ｂ）に分光するカラーホイールユニット３、カラーホイールユニット３を通過した光を反射するミラー４、ミラー４で反射した光を強度変調するＤＭＤ（Digital Micromirror Device、登録商標）７、ＤＭＤ７で強度変調された光をスクリーン１１に投射する投写レンズ５、スクリーン１１を備える。
【００１３】
ランプユニット２は、光源であるランプ２１と、工場出荷時にランプ２１の光源特性データが記憶された記憶手段２２を備える。カラーホイールユニット３は、カラーホイールと呼ばれる回転色フィルタで構成され、ランプ２１の出力光をＲＧＢに分光する分光部材３１と、工場出荷時に分光部材３１の分光特性が記憶される記憶手段３２を備える。
【００１４】
さらに、投写型表示装置１は、投写型表示装置１の輝度と色度に影響を与える部品の特性データが保存された記憶手段１０、ＤＭＤ７のオフステート時の反射光が入光される輝度センサ６、各記憶手段の特性データと輝度センサ６の出力を受け、マルチ画面を構成する他の投写型表示装置と通信する制御手段９、制御手段９で演算された補正係数に基づいて補正した映像信号をＤＭＤ７に供給する補正手段８を備える。
【００１５】
投写型表示装置１は、図２に示すように複数個組み合わせてマルチ画面表示装置を構成する。図中、マスタとなる投写型表示装置１をマスタ投写型表示装置１００、スレーブとなる投写型表示装置１をスレーブ投写型表示装置１０１〜１０３とする。
【００１６】
＜動作＞
次に、図１に沿って実施の形態１の投写型表示装置１の動作を説明する。
【００１７】
ランプ２１の出力光は、分光部材３１のカラーホイールでＲＧＢの各色に時分割で分光され、分光された光はミラー４を経てＤＭＤ７に供給される。一方、補正手段８は外部からの映像信号に後述する輝度補正を行い、補正映像信号をＤＭＤ７に出力する。
【００１８】
ＤＭＤ７はオンステートの場合、補正手段８からの補正映像信号に基づいてミラー４からの光を強度変調して投射レンズ５に出力するが、オフステートの場合は輝度センサ６に出力する。輝度センサ６で測定された輝度値は制御手段９に入力され、制御手段９が輝度値を監視する。ＤＭＤ７のオフステートは映像信号の垂直同期信号周期で必ず存在するため、オフステート時の反射光を輝度センサ６で測定することにより、常時ランプ２１の輝度を監視することが出来る。
【００１９】
上述したように、投写型表示装置１は図２に示すように複数個組み合わさってマルチ画面を構成する。マスタ投写型表示装置１００の制御手段９は、スレーブ投写型表示装置１０１〜１０３の制御手段９からランプ２１の光源特性データ、分光部材３１のカラーホイールの分光特性、その他投写型表示装置の輝度や色度に影響を与える部品の特性データ、輝度センサ６の出力をそれぞれ受信し、マルチ画面全体で実現可能な最適の輝度及び色度を算出し、算出結果を目標輝度・色度としてスレーブ投写型表示装置１０１〜１０３の制御手段９に送信する。
【００２０】
マスタ投写型表示装置１００の制御手段９は、自己が算出した目標輝度・色度を生じさせるための補正係数を演算し、補正手段８に出力する。このように制御手段９は、目標輝度・色度を生じさせるための補正係数を演算する補正係数演算手段としても機能する。補正手段８は制御手段９からの補正係数に基づいて、補正された映像信号をＤＭＤ７に供給することにより、マルチ画面を構成するスクリーンの輝度及び色度が目標輝度・色度に近くなるように制御する。スレーブ投写型表示装置１０１〜１０３においても、それぞれの制御手段９がマスタ投写型表示装置１００の制御手段９から目標輝度・色度を受信して、同様の動作を行う。
【００２１】
すなわち、実施の形態１の投写型表示装置１は、表示装置の外部又は内部で設定される目標輝度・色度を生じさせるための補正係数を演算する補正係数演算手段（制御手段９）と、映像信号を受け、映像信号に制御手段９から受けた補正係数に基づく補正を行う輝度・色度補正手段（補正手段８）と、補正手段８で補正された映像信号に基づき光源光を強度変調するライトバルブ（ＤＭＤ７）と、を備える。これにより、マルチ画面を構成する投写型表示装置間で輝度と色度を揃えることが出来る。
【００２２】
ランプユニット２の光源特性記憶手段２２には、ランプ２１の光源特性データと輝度値と通電時間とが記憶されており、光源特性データは工場出荷時に記憶され、輝度値及び通電時間は制御手段９によって定期的に更新される。光源特性記憶手段２２に記憶される輝度値は、輝度センサ６で測定した輝度値であり、制御手段９を介して光源特性記憶手段２２に保存される。輝度センサ６はＤＭＤ７のオフステートの度に輝度値を測定するため、光源特性記憶手段２２には定期的に輝度値が更新保存される。
【００２３】
制御手段９は、ランプ２１着火時に記憶手段２２に保存されたランプ２１の通電時間を読み出す。又、内部カウンタにてランプ通電時間を計測し、定期的に光源特性記憶手段２２内に保存するとともに、輝度センサ６が測定する輝度値を定期的に光源特性記憶手段２２に保存する。
【００２４】
ここで、ランプユニット２の光源特性記憶手段２２にランプ２１の光源特性データが正しく記憶されていれば、ランプユニット２の交換が行われた場合でも、マルチ画面を構成する各投射型映像表示装置間で輝度・色度値を自動的に合わせることが可能である。しかし、例えば正規外にランプのみを交換してしまい、記憶手段２２に保存されている光源特性データがランプ２１のデータと一致しない場合は、投射型映像表示装置間で輝度・色度値が合わなくなる。このようなランプ２１は不正なランプである。一般にランプの輝度値はランプ通電時間とともに低下するが、通電時間が一定時間以上あるにも関わらずランプの輝度値が前回測定時よりも大きい場合は、不正なランプに交換されたと判断することができる。
【００２５】
このため、ランプ２１着火後ランプ出力が安定した時点で、記憶手段２２に保存されているランプ輝度値が輝度センサ６で測定した現在のランプ輝度値よりも所定の閾値以上高く、さらにランプ２１の通電時間が一定時間を超えている場合は、ランプ２１が記憶手段２２の光源特性データと一致しないと判断し、スクリーン１１上に警告表示を出すように制御する。
【００２６】
すなわち、実施の形態１に係る投写型表示装置は、光源（ランプ２１）と、ランプ２１が発する光源光の輝度を測定する輝度測定手段（輝度センサ６）と、ランプ２１と共に交換可能に構成され、輝度センサの輝度測定値を更新保存する光源特性記憶手段（記憶手段２２）と、輝度センサ６の輝度測定値と、記憶手段２２に保持された輝度測定値との比較に基づき警告を表示する制御手段９と、を備える。これにより、ランプ２１が不正に交換されたことを検知して、使用者に知らせることが出来る。
【００２７】
又、制御手段９は、輝度センサ６の輝度測定値が、記憶手段２２に保持された輝度測定値よりも所定の閾値以上大きい場合に警告を表示する。これにより、輝度測定値が急激に大きくなったことを持ってランプ２１が不正に交換されたことを検知し、使用者に知らせることが出来る。
【００２８】
さらに、記憶手段２２はランプ２１の通電時間を保存し、制御手段９は、輝度センサ６の輝度測定値が、記憶手段２２に保存された輝度測定値よりも所定の閾値以上大きく、かつ通電時間が所定の時間以上の場合に警告を表示する。これにより、ランプ２１が新品であり出力が安定しないために不正と判定されることを防ぐ。
【００２９】
なお、ランプユニット２内のランプ２１と記憶手段２２の光源特性データが一致しないと判断された場合に警告表示を行うものとしたが、ランプ２１自体を消灯するように制御してもよい。
【００３０】
すなわち、実施の形態１に係る投写型表示装置において、制御手段９は、輝度センサ６の輝度測定値と、記憶手段２２に保持された輝度測定値との比較に基づきランプ２１の消灯を行う。これにより、不正なランプ２１に交換されたことを使用者に知らせることが出来る。
【００３１】
＜制御手段＞
制御手段９が行うランプ２１の判定動作を、図３のフローチャートに従って具体的に説明する。図３において、まずランプ２１が着火すると（ステップＳ１１）、制御手段９はランプユニット２内の記憶手段２２からランプ通電時間Ｌｔとランプ輝度Ｌｙを読み出す（ステップＳ１２）。このランプ輝度Ｌｙは前回の使用時に輝度センサ６が測定した輝度値が保存されているものである。
【００３２】
ランプ２１の出力輝度は着火後しばらく安定しないため、ランプ出力が安定するまでの期間（例えば５分間）は判定を行わず待機する（ステップＳ１３）。その後、制御手段９はランプ２１の出力が安定した時点で現在のランプ輝度値である輝度センサ６の出力Ｃｙを読む。
【００３３】
次に、記憶手段２２から読み出したランプ輝度値Ｌｙと、輝度センサ６の出力である現在のランプ輝度値Ｃｙとを比較し、例えばＤ＝Ｌｙ×５／１００として、Ｃｙ−Ｌｙ＜Ｄであるか否かを判定する（ステップＳ１５）。ｙｅｓの場合は、ランプユニット２内のランプ２１と記憶手段２２に保存されている光源特性データは一致すると判定し、警告表示を出力しない。
【００３４】
一方、Ｃｙ−Ｌｙ＞Ｄの場合は、ランプ通電時間ＬｔがＬｔ＜Ｔ（Ｔは例えば１００時間）であるか否かを判定する（ステップＳ１６）。Ｌｔ＜Ｔであれば、交換されたランプ２１は新品であると判断し警告表示を出力しない。すなわち、この場合はランプ輝度が閾値を超えて上昇しているもののランプ通電時間が短く新品であって、輝度センサ６の測定値のばらつきによるものであると判断する。
【００３５】
ステップＳ１６でＬｔ＞Ｔであった場合は、ランプ通電時間が長い上に輝度値が閾値以上上昇していることから、ランプ２１は記憶手段２２の光源特性データと一致しないと判断し、正しいランプを装着するよう警告表示を出力する（ステップＳ１７）。例えば、補正手段８に対して映像上に警告の表示等を出力するよう制御を行う。このように、所定時間（Ｔ）以上通電したランプでその輝度値が前回測定値よりも明らかに高い場合は、ランプ２１が不正に交換されたと判断する。
【００３６】
以上のように、記憶手段２２に保存されているランプ通電時間とランプ輝度により、装着されているランプ２１が記憶手段２２の光源特性データに適合しているか否かを判断し、適合していなければ正しいランプを装着するよう警告表示を出力する。これにより、例えばランプユニット２内のランプ２１だけ別の新品ランプに交換されることにより、ランプ２１の特性が記憶手段２２に保存されている光源特性データと適合せず、マルチ画面の輝度・色度レベルが合わなくなるという障害を防止することができる。
【００３７】
また、ランプ通電時間がある一定時間以内であれば新品のランプと判断し警告表示を行わないため、輝度センサ６のばらつきにより新品のランプが正しい組み合わせになっていないと誤判断されることがない。
【００３８】
＜効果＞
すなわち、実施の形態１に係る投写型表示装置は、光源（ランプ２１）と、ランプ２１が発する光源光の輝度を測定する輝度測定手段（輝度センサ６）と、ランプ２１と共に交換可能に構成され、輝度センサの輝度測定値を更新保存する光源特性記憶手段（記憶手段２２）と、輝度センサ６の輝度測定値と、記憶手段２２に保持された輝度測定値との比較に基づき警告を表示する制御手段９と、を備える。これにより、ランプ２１が不正に交換されたことを検知して、使用者に知らせることが出来る。
【００３９】
又、制御手段９は、輝度センサ６の輝度測定値が、記憶手段２２に保持された輝度測定値よりも大きい場合に警告を表示する。これにより、輝度測定値が急激に大きくなったことを持ってランプ２１が不正に交換されたことを検知し、使用者に知らせることが出来る。
【００４０】
又、実施の形態１の投写型表示装置１は、表示装置の外部又は内部で設定される目標輝度・色度を生じさせるための補正係数を演算する補正係数演算手段（制御手段９）と、映像信号を受け、映像信号に制御手段９から受けた補正係数に基づく補正を行う輝度・色度補正手段（補正手段８）と、補正手段８で補正された映像信号に基づき光源光を強度変調するライトバルブ（ＤＭＤ７）と、を備える。これにより、マルチ画面を構成する投写型表示装置間で輝度と色度を揃えることが出来る。
【００４１】
さらに、記憶手段２２はランプ２１の通電時間を保存し、輝度センサ６の輝度測定値が、記憶手段２２に保存された輝度測定値よりも所定の閾値以上大きく、かつ通電時間が所定の時間以上の場合に警告を表示する。これにより、ランプ２１が新品であり出力が安定しないために不正と判定されることを防ぐ。
【００４２】
すなわち、実施の形態１に係る投写型表示装置において、制御手段９は、輝度センサ６の輝度測定値と、記憶手段２２に保持された輝度測定値との比較に基づきランプ２１の消灯を行う。これにより、不正なランプ２１に交換されたことを使用者に知らせることが出来る。
【００４３】
（実施の形態２）
実施の形態１では、ランプ２１が正しいものか否かを判定する際に、ランプ２１の輝度値と通電時間を考慮したが、ランプ２１の輝度値のみで判断しても良い。
【００４４】
＜構成＞
実施の形態２の投写型表示装置の構成は、図１に示した実施の形態１の構成と同様であるため、説明を省略する。
【００４５】
＜動作＞
図４は、ランプ２１の判定方法を示すフローチャートである。以下、図４に沿って、制御手段９のランプ２１が正しいか否かの判定動作を説明する。
【００４６】
まずランプ２１が着火すると（ステップＳ２１）、制御手段９はランプユニット２内の記憶手段２２からランプ輝度Ｌｙを読み出す（ステップＳ２２）。このランプ輝度Ｌｙは前回の使用時に輝度センサ６が測定した輝度値である。
【００４７】
ランプ２１の出力輝度は着火後しばらく安定しないため、ランプ出力が安定するまでの期間（例えば５分間）は判定を行わず待機する（ステップＳ２３）。その後、制御手段９はランプ２１の出力が安定した時点で現在のランプ輝度値である輝度センサ６の出力Ｃｙを読む（ステップＳ２４）。
【００４８】
次に、記憶手段２２から読み出したランプ輝度値Ｌｙと、輝度センサ６の出力である現在のランプ輝度値Ｃｙとを比較し、例えばＤ＝Ｌｙ×５／１００として、Ｃｙ−Ｌｙ＜Ｄであるか否かを判定する（ステップＳ２５）。その場合は、ランプユニット２内のランプ２１と記憶手段２２に保存されている光源特性データは一致すると判定し、警告表示を出力しない。
【００４９】
一方、Ｃｙ−Ｌｙ＞Ｄの場合は、輝度値が前回の測定時に比べて閾値以上上昇していることから、ランプ２１は記憶手段２２の光源特性データと一致しないと判断し、正しいランプを装着するよう警告表示を出力する（ステップＳ２６）。例えば、補正手段８に対して映像上に警告の表示等を出力するよう制御を行う。このように、輝度値が前回測定値よりも明らかに高い場合は、ランプ２１が不正に交換されたと判断する。
【００５０】
すなわち、実施の形態２に係る投写型表示装置１は、光源（ランプ２１）と、ランプ２１が発する光源光の輝度を測定する輝度測定手段（輝度センサ６）と、ランプ２１と共に交換可能に構成され、輝度センサの輝度測定値を更新保存する光源特性記憶手段（記憶手段２２）と、輝度センサ６の輝度測定値と、記憶手段２２に保持された輝度測定値との比較に基づき警告を表示する制御手段９と、を備える。これにより、ランプ２１が不正に交換されたことを検知して、使用者に知らせることが出来る。
【００５１】
＜効果＞
実施の形態２に係る投写型表示装置１によれば、既に述べたように以下の効果を奏する。すなわち、投写型表示装置１は、光源（ランプ２１）と、ランプ２１が発する光源光の輝度を測定する輝度測定手段（輝度センサ６）と、ランプ２１と共に交換可能に構成され、輝度センサの輝度測定値を更新保存する光源特性記憶手段（記憶手段２２）と、輝度センサ６の輝度測定値と、記憶手段２２に保持された輝度測定値との比較に基づき警告を表示する制御手段９と、を備える。これにより、ランプ２１が不正に交換されたことを検知して、使用者に知らせることが出来る。
【００５２】
（実施の形態３）
＜構成＞
実施の形態３の投写型表示装置の構成は、図１に示した実施の形態１の構成と同様であるため、説明を省略する。
【００５３】
＜動作＞
実施の形態２では、ランプ２１の輝度値が前回測定値よりも閾値を超えて変化した場合に、ランプ２１は正しいランプではないと判断して警告する。しかし、ランプ２１が新品である場合は出力が安定しないため、新品のランプを正しいランプではないと判断するのは不適切である。そこで、本実施の形態では、工場出荷時に記憶手段２２にランプ輝度値としてＬｙ＝０を保存し、ランプ着火後にＬｙ＝０であれば新品のランプと判断するように制御する。
【００５４】
具体的には、図５のフローチャートに沿って制御手段９の判定動作を以下に説明する。
【００５５】
まず、ランプ２１が着火すると（ステップＳ３１）、制御手段９はランプユニット２内の記憶手段２２からランプ輝度Ｌｙを読み出す（ステップＳ３２）。このランプ輝度Ｌｙは前回の使用時に輝度センサ６が測定した輝度値である。但し、新品のランプであれば、Ｌｙ＝０となっている。
【００５６】
ランプ２１の出力輝度は着火後しばらく安定しないため、ランプ出力が安定するまでの期間（例えば５分間）は判定を行わず待機する（ステップＳ３３）。その後、制御手段９はランプ２１の出力が安定した時点で現在のランプ輝度値である輝度センサ６の出力Ｃｙを読む（ステップＳ３４）。
【００５７】
次に、Ｌｙ＝０か否かを判定する（ステップＳ３５）。Ｌｙ＝０の場合は、ランプ２１は新品であると判断し警告表示を行わないよう制御する。Ｌｙ＝０でなければ、ステップＳ３２で記憶手段２２から読み出したランプ輝度値Ｌｙと、ステップＳ３４で読み出した現在のランプ輝度値Ｃｙとを比較し、例えばＤ＝Ｌｙ×５／１００として、Ｃｙ−Ｌｙ＜Ｄであるか否かを判定する（ステップＳ３６）。その場合は、ランプユニット２内のランプ２１と記憶手段２２に保存されている光源特性データは一致すると判定し、警告表示を出力しない。
【００５８】
一方、Ｃｙ−Ｌｙ＞Ｄの場合は、輝度値が前回の測定時に比べて閾値以上上昇していることから、ランプ２１は記憶手段２２の光源特性データと一致しないと判断し、正しいランプを装着するよう警告表示を出力する（ステップＳ３７）。例えば、補正手段８に対して映像上に警告の表示等を出力するよう制御を行う。
【００５９】
すなわち、実施の形態３に係る投写型表示装置１において、光源特性記憶手段（記憶手段２２）は工場出荷時に輝度測定値を０として保存し、制御手段９は、輝度センサ６の輝度測定値が、記憶手段２２に保存された輝度測定値よりも所定の閾値以上大きく、かつ記憶手段２２に保存された輝度測定値が０でない場合に警告を表示する。これにより、新品のランプ２１を装着したためにランプ２１が記憶手段２２の光源特性データと一致しないと誤判断されることがない。
【００６０】
＜効果＞
実施の形態３に係る投写型表示装置１によれば、既に述べたように以下の効果を奏する。すなわち、光源特性記憶手段（記憶手段２２）は工場出荷時に輝度測定値を０として保存し、制御手段９は、輝度センサ６の輝度測定値が、記憶手段２２に保存された輝度測定値よりも所定の閾値以上大きく、かつ記憶手段２２に保存された輝度測定値が０でない場合に警告を表示する。これにより、新品のランプ２１を装着したためにランプ２１が記憶手段２２の光源特性データと一致しないと誤判断されることがない。
【符号の説明】
【００６１】
１  投写型表示装置、２  ランプユニット、３  カラーホイール、４  ミラー、５  投写レンズ、６  輝度センサ、７  ＤＭＤ、８  補正手段、９  制御手段、１０，２２，３２  記憶手段、１１  スクリーン、２１  ランプ、３１  分光部材。
【図１】
2010271375.tif 000003
【図２】
2010271375.tif 000004
【図３】
2010271375.tif 000005
【図４】
2010271375.tif 000006
【図５】
2010271375.tif 000007